(57)【要約】  有価媒体の処理機能が同じ複数有価媒体処理機と、各有価媒体処理機と対で設けられた制御装置とを備えた有価媒体管理システムを使用する担当者の作業負荷を低減する。各有価媒体処理機は、当該有価媒体処理機の状態を検知する状態検知手段を有し、各制御装置は、自装置と対の有価媒体処理機を動作させる対応機制御機能に加え、自装置と対の有価媒体処理機以外の他の有価媒体処理機を動作させる非対応機制御機能を有し、状態検知手段により検知した有価媒体処理装置の状態の変化に応じて、対応機制御機能と非対応機制御機能とを切替え可能に構成した。
2010018626.tif 000002
【特許請求の範囲】
【請求項１】
有価媒体の処理を行う有価媒体処理機と、前記有価媒体処理機と対で設けられ、前記有価媒体処理機を動作させるために操作する操作手段を有する制御装置とを含む有価媒体管理装置を複数備え、
複数の前記有価媒体処理機のうち、少なくとも一の有価媒体処理機は、有価媒体の処理に関して他の有価媒体処理機と同一の処理機能を有し、
各前記有価媒体処理機は、当該有価媒体処理機の状態を検知する状態検知手段を有し、
各前記制御装置は、自装置と対の前記有価媒体処理機を動作させる対応機制御機能に加え、自装置と対の前記有価媒体処理機以外の他の前記有価媒体処理機を動作させる非対応機制御機能を有し、前記状態検知手段により検知した前記有価媒体処理装置の状態の変化に応じて、前記対応機制御機能と前記非対応機制御機能とを切替え可能に構成した有価媒体管理システム。
【請求項２】
前記制御装置は、前記対応機制御機能が設定されている場合は、自装置と対の前記有価媒体処理機へ有価媒体の処理を行わせるための処理要求を送信し、
前記非対応機制御機能が設定されている場合は、他の前記制御装置へ当該他の制御装置と対の前記有価媒体処理機に有価媒体の処理を行わせるための処理依頼を送信する請求項１に記載の有価媒体管理システム。
【請求項３】
前記制御装置は、他の制御装置から送信された前記処理依頼を受信すると、自装置と対の前記有価媒体処理機を、前記処理依頼を送信した前記他の制御装置により動作制御可能な状態とする請求項２に記載の有価媒体管理システム。
【請求項４】
前記有価媒体処理機は、
有価媒体を受付ける有価媒体受付手段と、
前記有価媒体受付手段により受付けた有価媒体の識別を行う識別手段と、
前記識別手段により識別した有価媒体を収納する収納手段と、
を有する請求項１に記載の有価媒体管理システム。
【請求項５】
前記制御装置は、前記操作手段の操作により、前記対応機制御機能と前記非対応機制御機能とを切替え可能に構成した請求項１に記載の有価媒体管理システム。
【請求項６】
前記状態検知手段は、前記有価媒体処理機の状態として、前記収納手段に収納している有価媒体の量を検知する請求項４に記載の有価媒体管理システム。
【請求項７】
前記制御装置は、
自装置と対の前記有価媒体処理機に投入される有価媒体を前記収納手段に収納可能か否かを判断する収納可否判断手段を有し、
前記収納可否判断手段により収納不可能と判断されたときに、有価媒体を収納可能な他の前記有価媒体処理機と対の制御装置へ、有価媒体の収納を依頼するための処理依頼を送信する請求項６に記載の有価媒体管理システム。
【請求項８】
前記制御装置は、
前記収納可否判断手段により収納不可能と判断されたときに、有価媒体を収納可能な他の前記有価媒体処理機を報知する報知手段を有する請求項７に記載の有価媒体管理システム。
【請求項９】
前記有価媒体処理機は、前記収納手段に収納した有価媒体を払出す払出し手段を有し、前記操作手段の操作に基づいて有価媒体を払い出し、
前記制御装置は、
前記操作手段により有価媒体払出しのための払出し操作がなされたとき、当該払出し操作に対応した有価媒体が払出し可能か否かを判断する払出し可否判断手段を有し、
前記払出し可否判断手段により払出し不可能と判断されたときに、前記払出し操作に対応した有価媒体を払出し可能な他の前記有価媒体処理機と対の制御装置へ有価媒体の払出しを要求する処理依頼を送信する請求項４に記載の有価媒体管理システム。
【請求項１０】
前記制御装置は、
前記払出し可否判断手段により払出し不可能と判断されたときに、前記投入操作に対応した有価媒体を払出し可能な他の前記有価媒体処理機を報知する報知手段を有する請求項９に記載の有価媒体管理システム。
【請求項１１】
前記状態検知手段は、前記有価媒体処理機が、メンテナンスが必要な状態であるか否かを検知し、
前記制御装置は、前記状態検知手段により、前記有価媒体処理機がメンテナンスが必要な状態であることを検知した場合に、メンテナンスが必要な状態でない他の前記有価媒体処理機を報知する請求項１に記載の有価媒体管理システム。
【請求項１２】
有価媒体の処理を行う有価媒体処理機と対で設けられ、前記有価媒体処理機の動作を制御する制御装置により、当該制御装置と対の前記有価媒体処理に有価媒体を処理させる対応機制御ステップと、
前記制御装置により、前記有価媒体処理機と同一の有価媒体の処理機能を備えた他の有価媒体処理機に有価媒体を処理させる非対応機制御ステップと、
前記制御装置により、当該制御装置と対の前記有価媒体処理機の状態に応じて、前記対応機制御ステップと前記非対応機制御ステップとを切替えるステップと、
を有する有価媒体管理方法。
【発明の詳細な説明】
【技術分野】
【０００１】
本発明は、有価媒体管理システム及び有価媒体管理方法に関するものであり、特に、有価媒体の受付処理及び収納処理を行う有価媒体処理機と、前記有価媒体処理機と対で設けられ、前記有価媒体処理機を動作させるために操作する操作手段を有する制御装置とからなる有価媒体管理装置を複数備えた有価媒体管理システム及び同システムにおける有価媒体管理方法に関するものである。
【背景技術】
【０００２】
従来より、百貨店やスーパーマーケット等のバックヤードには、レジから回収した貨幣やクーポン券等の有価媒体を識別すると共に計数して一時的に保管しておく有価媒体管理装置が設けられていた。【０００３】
この種の有価媒体管理装置は、銀行等の金融機関のバックヤードにも設けられており、テラーマシン等から回収した貨幣の識別や計数、一時保管等に用いられていた。【０００４】
この有価媒体管理装置として、有価媒体の受付処理や識別処理、収納処理等を行う有価媒体処理機（以下、単に「処理機」という。）と、入金等を行うレジ員や出納員（以下、これらを総称して「担当者」という。）の操作に基づいて、処理機の動作を制御する制御装置（以下、「ターミナル」という。）とが一対となったものが広く知られている（例えば、特許文献１参照。）【０００５】
このようにターミナルと処理機とが一対となった有価媒体管理装置を用いた有価媒体管理システムでは、各担当者がターミナルの操作部を操作して、レジ等から回収した有価媒体を処理機に投入し、処理機に有価媒体の識別処理や計数処理等を行わせた後、その有価媒体を処理機内部に収納させて一時保管することにより、有価媒体の管理を行っていた。【０００６】
【特許文献１】特許第３３３０８０１号公報
【発明の開示】
【発明が解決しようとする課題】
【０００７】
しかしながら、上記した従来の有価媒体管理システムでは、ターミナルと処理機とがセットとなっていたため、処理する有価媒体の枚数が非常に多い店舗においては、担当者の負荷が増大する恐れがあった。【０００８】
すなわち、１セットの有価媒体管理装置では、処理機に収納可能な有価媒体の枚数に限界があるため、１セットの有価媒体管理装置では収納不可能な枚数の有価媒体を管理する店舗においては、複数セットの有価媒体管理装置を設ける必要がある。【０００９】
このように、複数セットの有価媒体管理装置を設けた場合、各担当者が回収して有価媒体管理装置へ投入する有価媒体の枚数が各処理機で収納可能な枚数であれば、各担当者の負荷は問題にならない。【００１０】
しかし、担当者が一人しか勤務していない場合や、複数の担当者のうちいずれかの担当者が有価媒体管理装置への有価媒体の投入を行えない場合、一人の担当者が複数セットの有価媒体管理装置を操作しなければならなくなる。【００１１】
この場合、一人の担当者は、自身が担当している有価媒体管理装置のターミナルを操作して、そのターミナルに対応した処理機に自身が担当している有価媒体を投入し、その後、他の担当者が担当している有価媒体管理装置のターミナルを操作して、そのターミナルに対応した処理機に、他の担当者が担当している有価媒体を投入しなければならず、担当者の負荷が増大するという問題が生じる。【００１２】
また、一人の担当者が回収した有価媒体の枚数が１台の処理機の収容可能枚数を越えていた場合、その担当者は、回収した有価媒体を複数セットの有価媒体管理装置に分けて投入しなければならず、この場合も担当者は、複数のターミナルを操作して、そのターミナルに対応する各処理機へ有価媒体を投入しなければならないので、担当者にとっての負荷が増大するという問題が生じる。【００１３】
そこで、本発明は、上述した従来の課題（問題）を解消するためになされたものであり、有価媒体の処理機能が同一の有価媒体管理装置を複数設けた場合であっても、担当者の負荷が増大することを抑制することができる有価媒体管理システムを提供することを目的とする。
【課題を解決するための手段】
【００１４】
上述した課題を解決し、目的を達成するために、請求項１に係る発明では、有価媒体の処理を行う有価媒体処理機と、前記有価媒体処理機と対で設けられ、前記有価媒体処理機を動作させるために操作する操作手段を有する制御装置とを含む有価媒体管理装置を複数備え、複数の前記有価媒体処理機のうち、少なくとも一の有価媒体処理機は、有価媒体の処理に関して他の有価媒体処理機と同一の処理機能を有し、各前記有価媒体処理機は、当該有価媒体処理機の状態を検知する状態検知手段を有し、各前記制御装置は、自装置と対の前記有価媒体処理機を動作させる対応機制御機能に加え、自装置と対の前記有価媒体処理機以外の他の前記有価媒体処理機を動作させる非対応機制御機能を有し、前記状態検知手段により検知した前記有価媒体処理装置の状態の変化に応じて、前記対応機制御機能と前記非対応機制御機能とを切替え可能に構成した有価媒体管理システムとした。【００１５】
また、請求項２に係る発明では、前記制御装置は、前記対応機制御機能が設定されている場合は、自装置と対の前記有価媒体処理機へ有価媒体の処理を行わせるための処理要求を送信し、前記非対応機制御機能が設定されている場合は、他の前記制御装置へ当該他の制御装置と対の前記有価媒体処理機に有価媒体の処理を行わせるための処理依頼を送信する有価媒体管理システムとした。【００１６】
また、請求項３に係る発明では、前記制御装置は、他の制御装置から送信された前記処理依頼を受信すると、自装置と対の前記有価媒体処理機を、前記処理依頼を送信した前記他の制御装置により動作制御可能な状態とする有価媒体管理システムとした。【００１７】
また、請求項４に係る発明では、前記有価媒体処理機は、有価媒体を受付ける有価媒体受付手段と、前記有価媒体受付手段により受付けた有価媒体の識別を行う識別手段と、前記識別手段により識別した有価媒体を収納する収納手段とを有する有価媒体管理システムとした。【００１８】
また、請求項５に係る発明では、前記制御装置は、前記操作手段の操作により、前記対応機制御機能と前記非対応機制御機能とを切替え可能に構成した有価媒体管理システムとした。【００１９】
また、請求項６に係る発明では、前記状態検知手段は、前記有価媒体処理機の状態として、前記収納手段に収納している有価媒体の量を検知する有価媒体管理システムとした。【００２０】
また、請求項７に係る発明では、前記制御装置は、自装置と対の前記有価媒体処理機に投入される有価媒体を前記収納手段に収納可能か否かを判断する収納可否判断手段を有し、前記収納可否判断手段により収納不可能と判断されたときに、有価媒体を収納可能な他の前記有価媒体処理機と対の制御装置へ、有価媒体の収納を依頼するための処理依頼を送信する有価媒体管理システムとした。【００２１】
また、請求項８に係る発明では、前記制御装置は、前記収納可否判断手段により収納不可能と判断されたときに、有価媒体を収納可能な他の前記有価媒体処理機を報知する報知手段を有する有価媒体管理システムとした。【００２２】
また、請求項９に係る発明では、前記有価媒体処理機は、前記収納手段に収納した有価媒体を払出す払出し手段を有し、前記操作手段の操作に基づいて有価媒体を払い出し、前記制御装置は、前記操作手段により有価媒体払出しのための払出し操作がなされたとき、当該払出し操作に対応した有価媒体が払出し可能か否かを判断する払出し可否判断手段を有し、前記払出し可否判断手段により払出し不可能と判断されたときに、前記払出し操作に対応した有価媒体を払出し可能な他の前記有価媒体処理機と対の制御装置へ有価媒体の払出しを要求する処理依頼を送信する有価媒体管理システムとした。【００２３】
また、請求項１０に係る発明では、前記制御装置は、前記払出し可否判断手段により払出し不可能と判断されたときに、前記投入操作に対応した有価媒体を払出し可能な他の前記有価媒体処理機を報知する報知手段を有する有価媒体管理システムとした。【００２４】
また、請求項１１に係る発明では、前記状態検知手段は、前記有価媒体処理機が、メンテナンスが必要な状態であるか否かを検知し、前記制御装置は、前記状態検知手段により、前記有価媒体処理機がメンテナンスが必要な状態であることを検知した場合に、メンテナンスが必要な状態でない他の前記有価媒体処理機を報知する有価媒体管理システムとした。【００２５】
また、請求項１２に係る発明では、有価媒体の処理を行う有価媒体処理機と対で設けられ、前記有価媒体処理機の動作を制御する制御装置により、当該制御装置と対の前記有価媒体処理に有価媒体を処理させる対応機制御ステップと、前記制御装置により、前記有価媒体処理機と同一の有価媒体の処理機能を備えた他の有価媒体処理機に有価媒体を処理させる非対応機制御ステップと、前記制御装置により、当該制御装置と対の前記有価媒体処理機の状態に応じて、前記対応機制御ステップと前記非対応機制御ステップとを切替えるステップとを有する有価媒体管理方法とした。
【発明の効果】
【００２６】
本発明によれば、有価媒体の処理を行う有価媒体処理機と、前記有価媒体処理機と対で設けられ、前記有価媒体処理機を動作させるために操作する操作手段を有する制御装置とを含む有価媒体管理装置を複数備え、複数の前記有価媒体処理機のうち、少なくとも一の有価媒体処理機は、有価媒体の処理に関して他の有価媒体処理機と同一の処理機能を有し、各前記有価媒体処理機は、当該有価媒体処理機の状態を検知する状態検知手段を有し、各前記制御装置は、自装置と対の前記有価媒体処理機を動作させる対応機制御機能に加え、自装置と対の前記有価媒体処理機以外の他の前記有価媒体処理機を動作させる非対応機制御機能を有し、前記状態検知手段により検知した前記有価媒体処理装置の状態の変化に応じて、前記対応機制御機能と前記非対応機制御機能とを切替え可能に構成した有価媒体管理システムとしたため、有価媒体の処理機能が同一の有価媒体管理装置を複数設けた場合であっても、担当者の負荷が増大することを抑制することができる有価媒体管理システムを提供することができる。【００２７】
また、本発明によれば、前記制御装置は、前記対応機制御機能が設定されている場合は、自装置と対の前記有価媒体処理機へ有価媒体の処理を行わせるための処理要求を送信し、前記非対応機制御機能が設定されている場合は、他の前記制御装置へ当該他の制御装置と対の前記有価媒体処理機に有価媒体の処理を行わせるための処理依頼を送信する有価媒体管理システムとしたため、ある制御装置を操作することによって、他の制御装置へ処理依頼を送信させることができるので、有価媒体の処理機能が同一の有価媒体管理装置を複数設けた場合であっても、担当者の負荷が増大することを抑制することができる有価媒体管理システムを提供することができる。【００２８】
前記制御装置は、他の制御装置から送信された前記処理依頼を受信すると、自装置と対の前記有価媒体処理機を、前記処理依頼を送信した前記他の制御装置により動作制御可能な状態とする有価媒体管理システムとしたため、ある制御装置を操作することによって、他の制御装置と対の有価媒体処理機に有価媒体を処理させることができるので、有価媒体の処理機能が同一の有価媒体管理装置を複数設けた場合であっても、担当者の負荷が増大することを抑制することができる有価媒体管理システムを提供することができる。【００２９】
また、本発明によれば、前記有価媒体処理機は、有価媒体を受付ける有価媒体受付手段と、前記有価媒体受付手段により受付けた有価媒体の識別を行う識別手段と、前記識別手段により識別した有価媒体を収納する収納手段とを有する有価媒体管理システムとしたため、ある制御装置を操作することによって、他の制御装置と対の有価媒体処理機に同一の有価媒体の識別処理や収納処理を行わせることができるので、有価媒体の処理機能が同一の有価媒体管理装置を複数設けた場合であっても、担当者の負荷が増大することを抑制することができる有価媒体管理システムを提供することができる。【００３０】
また、本発明によれば、前記制御装置は、前記操作手段の操作により、前記対応機制御機能と前記非対応機制御機能とを切替え可能に構成した有価媒体管理システムとしたため、ある制御装置の操作手段を操作することによっても、他の制御装置と対の有価媒体処理機に有価媒体の処理を行わせることができるので、担当者の負荷が増大することを抑制することができる有価媒体管理システムを提供することができる。【００３１】
また、本発明によれば、前記状態検知手段は、前記有価媒体処理機の状態として、前記収納手段に収納している有価媒体の量を検知する有価媒体管理システムとしたため、各仕様類処理機の収納手段に収納している有価媒体の量に応じて、適宜、他の制御装置と対の有価媒体処理機に有価媒体の処理を行わせることができるので、担当者の負荷が増大することを抑制することができる有価媒体管理システムを提供することができる。【００３２】
また、本発明によれば、前記制御装置は、自装置と対の前記有価媒体処理機に投入される有価媒体を前記収納手段に収納可能か否かを判断する収納可否判断手段を有し、前記収納可否判断手段により収納不可能と判断されたときに、有価媒体を収納可能な他の前記有価媒体処理機と対の制御装置へ、有価媒体の収納を依頼するための処理依頼を送信する有価媒体管理システムとしたため、一台の有価媒体処理機に収納できない量の有価媒体を収納させるときに、担当者は一方の制御装置だけを操作することによって、複数台の有価媒体処理機へ有価媒体を収納させることができるので、担当者の負荷が増大することを抑制することができる有価媒体管理システムを提供することができる。【００３３】
また、本発明によれば、前記制御装置は、前記収納可否判断手段により収納不可能と判断されたときに、有価媒体を収納可能な他の前記有価媒体処理機を報知する報知手段を有する有価媒体管理システムとしたため、担当者は、一台の有価媒体処理機では収納できなかった分の有価媒体を収納可能な他の有価媒体処理機を容易に知ることができるので、担当者の負荷が増大することを抑制することができる有価媒体管理システムを提供することができる。【００３４】
また、本発明によれば、前記有価媒体処理機は、前記収納手段に収納した有価媒体を払出す払出し手段を有し、前記操作手段の操作に基づいて有価媒体を払い出し、前記制御装置は、前記操作手段により有価媒体払出しのための払出し操作がなされたとき、当該払出し操作に対応した有価媒体が払出し可能か否かを判断する払出し可否判断手段を有し、前記払出し可否判断手段により払出し不可能と判断されたときに、前記払出し操作に対応した有価媒体を払出し可能な他の前記有価媒体処理機と対の制御装置へ有価媒体の払出しを要求する処理依頼を送信する有価媒体管理システムとしたため、担当者が操作した制御装置と対の有価媒体処理機が有価媒体を払出しできない場合であっても、その担当者は、他の制御装置を操作することなく、他の有価媒体処理機から有価媒体の払出しをうけることができるので、担当者の負荷が増大することを抑制することができる有価媒体管理システムを提供することができる。【００３５】
また、本発明によれば、前記制御装置は、前記払出し可否判断手段により払出し不可能と判断されたときに、前記投入操作に対応した有価媒体を払出し可能な他の前記有価媒体処理機を報知する報知手段を有する有価媒体管理システムとしたため、担当者が操作した制御装置と対の有価媒体処理機が有価媒体を払出しできない場合であっても、担当者は、有価媒体が払出される他の有価媒体処理機を容易に知ることができるので、担当者の負荷が増大することを抑制することができる有価媒体管理システムを提供することができる。【００３６】
また、本発明によれば、前記状態検知手段は、前記有価媒体処理機が、メンテナンスが必要な状態であるか否かを検知し、前記制御装置は、前記状態検知手段により、前記有価媒体処理機がメンテナンスが必要な状態であることを検知した場合に、メンテナンスが必要な状態でない他の前記有価媒体処理機を報知する有価媒体管理システムとしたため、担当者は、メンテナンスの必要がない他の有価媒体処理機を容易に知ることができるので、担当者の負荷が増大することを抑制することができる有価媒体管理システムを提供することができる。【００３７】
また、本発明によれば、有価媒体の処理を行う有価媒体処理機と対で設けられ、前記有価媒体処理機の動作を制御する制御装置により、当該制御装置と対の前記有価媒体処理に有価媒体を処理させる対応機制御ステップと、前記制御装置により、前記有価媒体処理機と同一の有価媒体の処理機能を備えた他の有価媒体処理機に有価媒体を処理させる非対応機制御ステップと、前記制御装置により、当該制御装置と対の前記有価媒体処理機の状態に応じて、前記対応機制御ステップと前記非対応機制御ステップとを切替えるステップとを有する有価媒体管理方法としたため、有価媒体の処理機能が同一の有価媒体管理装置を複数設けた場合であっても、担当者の負荷が増大することを抑制することができる有価媒体管理方法を提供することができる。
【図面の簡単な説明】
【００３８】
【図１】図１は、本実施形態に係る有価媒体管理システムの全体構成を示す説明図である。
【図２】図２は、ターミナル及び処理機の構成を示す説明図である。
【図３】図３は、ターミナルによる表示の一例を示す説明図である。
【図４】図４は、ターミナルのメイン制御部が実行する処理を示すフローチャートである。
【図５】図５は、処理機のサブ制御部が実行する処理を示すフローチャートである。
【符号の説明】
【００３９】
Ｓ      有価媒体管理システム
１      第１システム
２      １号機
３      第１ターミナル
１００  第２システム
１０２  ２号機
１０３  第２ターミナル
１１、１１１  表示・操作部
１２    メイン制御部
２１    サブ制御部
【発明を実施するための最良の形態】
【００４０】
以下に添付図面を参照して、本発明に係る有価媒体管理システム及び有価媒体管理方法の好適な一実施形態を説明する。【００４１】
本実施形態では、有価媒体管理システムの一例として、同一種類の有価媒体（ここでは、日本銀行券）を取扱う有価媒体処理機（以下、単に「処理機」という。）と、この処理機と対で設けられ、対応する処理機の動作制御を行う制御装置（以下、「ターミナル」という。）とを備えた有価媒体管理装置を２台設けた有価媒体管理システムを例に挙げて説明する。【００４２】
図１は、本実施形態に係る有価媒体管理システムの全体構成を示す説明図である。以下の説明では、図１中の左側に配設している有価媒体管理装置を第１システム１、右側に配設している有価媒体管理装置を第２システム１００とし、これら第１システム１と第２システム１００とからなるシステム全体を有価媒体管理システムＳとして説明する。【００４３】
また、第１システム１のターミナルを第１ターミナル３、第１システム１の処理機を１号機２、第２システム１００のターミナルを第２ターミナル１０３、第２システム１００の処理機を２号機１０２として説明する。【００４４】
図１に示す有価媒体管理システムＳは、百貨店やスーパー、銀行等の店舗のバックヤード又は出納室に配設されるシステムである。【００４５】
そして、この有価媒体管理システムＳは、店舗の営業が終了した後に、レジの係員や出納員等（以下、「担当者」という。）が売上金を各レジ等から回収して入金し、その日の売上金の集計や一時保管するために用いられるものである。また、この有価媒体管理システムＳは、レジの釣銭が切れた場合等、貨幣が必要になった場合には、貨幣の出金を行うこともできるように構成されている。【００４６】
１号機２は、箱型の筐体４を備えており、この箱型の筐体４上面側には、手前側から順に紙幣の入金口５と、紙幣の出金口６と、紙幣の返却口７とが設けられている。また、筐体４の手前側側面には、１号機２からの貨幣の回収、及び１号機２への貨幣の補充を行う際に開閉する扉８が設けられている。なお、図１中の符号９は、扉８の施錠及び開錠を行うカギ孔である。【００４７】
２号機１０２も１号機２と同様に、箱型の筐体１０４を備えており、この筐体１０４の上面側には、手前側から順に紙幣の入金口１０５と、紙幣の出金口１０６と、紙幣の返却口１０７とが設けられている。また、筐体１０４の手前側側面にも、２号機１０２からの貨幣の回収、及び２号機１０２への貨幣の補充を行う際に開閉する扉１０８が設けられている。なお、図１中の符号１０９は、扉１０８の施錠及び開錠を行うカギ孔である。【００４８】
そして、これら１号機２、２号機１０２の筐体４、１０４の内部には、それぞれ後述のサブ制御部２１、金種別収納部２２〜２４、入金部２５、出金部２６、返却部２６、識別部２８、搬送部２９、内部Ｉ／Ｆ（インターフェース）３０等（図２参照。）が収納されている。【００４９】
また、第１ターミナル３は、後述のメイン制御部１２（図２参照。）等が収納されている本体１０と、メイン制御部１２の制御に基づいて、第１システム１に関する各種情報の画像を表示すると共に、画像上の所定位置を指で触れることによって、１号機２に入金処理や出金処理等の各種処理を実行させることができるタッチパネル型の表示・操作部１１とを備えている。【００５０】
この第１ターミナル３と同様に、第２ターミナルも本体１１０と表示・操作部１１１とを備えている。【００５１】
また、本実施形態の有価媒体管理システムＳでは、第１ターミナル３と第２ターミナル１０３との間を通信用のケーブル１５で接続しており、第１ターミナル３と第２ターミナル１０３との間で各種情報の送受信を行えるように構成している。【００５２】
ここで、第１ターミナル３及び１号機２の構成について、図２を参照して説明する。図２は、第１ターミナル３及び１号機２の構成を示す機能ブロック図である。なお、第１ターミナル３と第２ターミナル１０３の構成は略同一であり、また、１号機２と２号機１０２の構成は略同一であるため、ここでは、第２ターミナル１０３及び２号機１０２の詳細な説明は省略することとする。【００５３】
図２に示すように、本実施形態の１号機２は、担当者から入金される貨幣を入金口５から内部へ取込む入金部２５と、内部から出金口６へ貨幣を繰出す出金部２６と、一旦内部へ取込んだ貨幣を返却口７へ返却する返却部２７と、受付けた貨幣の種別を識別する識別部２８と、１号機２内部において貨幣の搬送を行う搬送部２９、貨幣を金種毎に収納する金種別収納部２２〜２４と、第１ターミナル３との間で各種情報の送受信を行う内部Ｉ／Ｆ３０と、これら入金部２５、出金部２６、返却部２７は、識別部２８、搬送部２９、内部Ｉ／Ｆ３０、金種別収納部２２〜２４の動作を制御するサブ制御部２１とを備えている。【００５４】
入金部２５は、後述の内部Ｉ／Ｆ３０により受信した処理要求に基づいて、有価媒体を受付ける有価媒体受付手段として機能するものであり、貨幣を一枚ずつ上下から挟持する一対のベルトと、このベルトを駆動するプーリーとモータとを備えた駆動部とを備え、入金口に一括投入された複数枚の貨幣を一枚ずつ内部へ取込むように構成している。【００５５】
また、出金部２６及び返却部２７も入金部２５と同様に一対のベルトと、このベルトを駆動するプーリーとモータとを備えた駆動部とを備え、それぞれ、出金部２６は、内部から搬送されてきた貨幣を一枚ずつ出金口６へ繰出し、返却部２７は、内部から搬送されてきた貨幣を一枚ずつ返却口７から返却するように構成している。【００５６】
本実施形態では、上記出金部２６が操作手段の操作に基づいて、収納手段に収納した有価媒体を払出す払出し手段として機能する。【００５７】
識別部２８は、有価媒体受付手段により受付けた有価媒体の識別を行う識別部として機能するものであり、外部から入金された紙幣の種類を識別して、その識別結果をサブ制御部２１へ送信する。【００５８】
具体的には入金部から搬送されてくる貨幣を撮像する撮像部を備え、この撮像部により撮像した貨幣の画像に基づいて貨幣の種別を識別し、その識別情報をサブ制御部２１に送信する。そして、サブ制御部２１がこの識別部２８から受信した識別情報に基づいて、識別部２８により識別した貨幣が正券なのか損券なのか、また、一万円札、五千円札、千円札のうちのいずれの金種なのか、さらに、その貨幣の真偽までを判定し、その後、判定された貨幣の金種別の枚数及びその合計金額の集計を行うように構成している。【００５９】
また、返却部２７は、識別手段により、取扱い不可能な種類の有価媒体を識別した場合に、当該識別した有価媒体を返却する返却手段として機能するものであり、本実施形態では、サブ制御部２１が識別部２８による貨幣の識別結果に基づいて、入金された貨幣の中に偽装券等を判定した場合に、返却口７から返却するように構成している。【００６０】
また、金種別収納部２２〜２４は、識別手段により識別した有価媒体を収納する収納手段として機能するものであり、識別部２８により識別された貨幣をその金種（具体的には、一万円札、五千円札、千円札）別にそれぞれ収納する着脱自在なスタッカにより構成している。【００６１】
また、これら金種別収納部２２〜２４には、各金種別収納部２２〜２４内に、現時点で収納可能な貨幣の枚数をカウントする収納可能枚数カウンタ２２ａ〜２４ａを備えている。【００６２】
この収納可能枚数カウンタ２２ａ〜２４ａは、貨幣が一枚収納される毎に、スタッカが空の状態で収納可能な貨幣の枚数の値から１減算することによって、現時点で収納可能な貨幣の枚数をカウントするものであり、１号機２の状態を検知する状態検知手段の一例として機能するものである。なお、本実施形態では、この収納可能枚数カウンタ２２ａ〜２４ａのカウント値に基づいて、メイン制御部１２が現時点で払出可能な貨幣の枚数を算出するようにしている。【００６３】
搬送部２９は、入金部２５−識別部２８−金種別収納部２２〜２４間、金種別収納部２２〜２４−識別部２８−出金部２６間、入金部２５−識別部２８−返却部２７間において貨幣の搬送を行うように構成している。【００６４】
そして、この搬送部２９は、上記各部（入金部２５、出金部２６、返却部２７、識別部２８）間に複数のローラーを介して架設された一対の搬送ベルトと、この搬送ベルトを駆動する駆動部とを備えている。そして、一対の搬送ベルトの間に貨幣を一枚ずつ挟持した状態で搬送ベルトを駆動することにより、一枚ずつ貨幣の搬送を行うように構成している。【００６５】
サブ制御部２１は、ＣＰＵ（Central Processing Unit）とＲＯＭ（Read-Only Memory）とＲＡＭ（Random Access
Memory）とを備えており、後述のメイン制御部１２から送信される各種処理要求に基づいて、ＣＰＵがＲＯＭに記憶している貨幣処理のための各種情報処理プログラムを読み出して実行することにより、上記入金部２５、出金部２６、返却部２７、識別部２８、搬送部２９の動作を制御して、貨幣の入金処理、出金処理、返却処理等を実行するものである。なおＲＡＭは、ＣＰＵがＲＯＭに記憶している各種情報処理プログラムを実行する際に、作業領域として使用される一時記憶領域として機能するものである。【００６６】
また、図２中の符号３０は、第１ターミナルとの間で処理要求や入出金報告、返金報告等を含む各種情報の送受信を行う内部Ｉ／Ｆである。【００６７】
そして、これらサブ制御部２１、内部Ｉ／Ｆ３０、入金部２５、出金部２６、返却部２７、識別部２８、搬送部２９、金種別収納部２２〜２４とは、それぞれ情報通信用のバスにより接続されている。【００６８】
本実施形態において、サブ制御部２１は、内部のＣＰＵがＲＯＭ内に記憶した上記各種情報処理プログラムを実行することによって、内部Ｉ／Ｆ３０と協働して第１ターミナルから送信される処理要求を受信する処理要求受信手段等として機能し、第１ターミナルから受信した処理要求に基づいて、上記内部Ｉ／Ｆ３０、入金部２５、出金部２６、返却部２７、識別部２８、搬送部２９、金種別収納部２２〜２４等、１号機２を構成する各部の動作を統括的に制御するものである。【００６９】
次に、第１ターミナル３の構成について説明する。第１ターミナル３は、第２ターミナル１０３との間で各種情報の送受信を行う外部Ｉ／Ｆ１３と、１号機２との間で各種情報の送受信を行う内部Ｉ／Ｆ１４と、タッチパネル型の表示・操作部１１と、第１システム１全体の動作制御を行うメイン制御部１２とを備えている。【００７０】
このメイン制御部１２は、ＣＰＵとＲＯＭとＲＡＭとを備えており、ＲＯＭには、ＣＰＵにより実行される各種情報処理プログラムや、表示・操作部１１に表示させる各種画像情報等が記憶されている。【００７１】
具体的には、このＲＯＭ内に、表示・操作部１１の操作に基づいて、１号機２へ貨幣の入金開始要求や出金開始要求等を含む各種処理要求を送信するためにＣＰＵが実行する情報処理プログラムや、担当者に第１ターミナル３の操作を案内する各種案内表示画像（図３参照。）等の情報が記憶されている。【００７２】
そして、このメイン制御部１２は、担当者による表示・操作部１１の操作に基づいて、ＲＯＭに記憶されている各種情報処理プログラムを読み出し、ＲＡＭを作業領域として使用して実行することにより、１号機２の動作制御や表示・操作部１１の表示制御等といった第１システム１全体の動作制御を行うように構成している。【００７３】
これら、メイン制御部１２、表示・操作部１１、外部Ｉ／Ｆ１３、内部Ｉ／Ｆ１４は、それぞれ通信用のバスにより接続されている。【００７４】
特に、本実施形態の第１ターミナル３は、自装置（第１ターミナル３）と対で設けられた１号機２を動作させる対応機制御機能に加えて、自装置と対の１号機２以外の他の処理機である２号機１０２の動作を制御する非対応機制御機能を備えている。【００７５】
そして、第１ターミナル３は、表示・操作部１１の操作または１号機２の内部状態（たとえば、収納可能枚数カウンタ２２ａ〜２４ａのカウント値）に基づいて、これら対応機制御機能と非対応機制御機能とを切替えて設定可能となるように構成している。【００７６】
すなわち、本実施形態の有価媒体管理システムＳでは、担当者が第１ターミナル３の表示・操作部１１を操作した際に、その担当者が第２ターミナル１０３の表示・操作部１１を操作することなく、第１ターミナル３の表示・操作部１１操作を操作するだけで、１号機２及び２号機１０２への入金、また、１号機２及び２号機１０２からの出金を行うことができるように構成している。【００７７】
そのため、メイン制御部１２のＲＯＭには、上記した各種情報処理プログラムや表示画像の情報に加えて、表示・操作部１１に第１システム１を操作することによって、２号機１０２へ入金できる旨を案内するための画像情報や、第１ターミナル３から第２ターミナル１０３へ、２号機１０２に貨幣の処理を行わせるための処理依頼を送信するためにＣＰＵが実行する情報処理プログラム、第２ターミナル１０３から処理依頼を受信し、その処理依頼を処理要求として１号機２へ転送するためにＣＰＵが実行する情報処理プログラム等が記憶されている。【００７８】
さらに、メイン制御部１２のＲＯＭには、１号機２が貨幣の回収や補充、エラー発生時のエラー解除、点検、清掃等のメンテナンスを必要とする状態であることを検知するためにＣＰＵが実行する情報処理プログラム、１号機２の金種別収納部２２〜２４における収納可能容量を取得するためにＣＰＵが実行する情報処理プログラム、２号機１０２等、他の処理機（ここでは、２号機１０２）の金種別収納部２２〜２４における収納可能容量を取得するためにＣＰＵが実行する情報処理プログラム等が記憶されている。【００７９】
そして、このメイン制御部１２は、内部のＣＰＵが上記各種の情報処理プログラムを実行することによって、有価媒体処理機の状態（たとえば、貨幣の収納可能枚数等）を検知する状態検知手段、操作手段の操作に基づいて、自装置と対の有価媒体処理機へ有価媒体の処理要求を送信する処理要求送信手段、他の制御装置へ当該他の制御装置と対の有価媒体処理機に有価媒体の処理を行わせるための処理依頼を送信する処理依頼送信手段、他の制御装置から送信された処理依頼を受信する処理依頼受信手段、処理依頼受信手段により受信した処理依頼を処理要求として自装置と対の有価媒体処理機へ転送する処理依頼転送手段、操作手段により有価媒体投入のための投入操作がなされたとき、当該投入操作に対応した有価媒体を収納手段に収納可能か否かを判断する収納可否判断手段、操作手段により有価媒体払出しのための払出し操作がなされたとき、当該払出し操作に対応した有価媒体が払出し可能か否かを判断する払出し可否判断手段等として機能する。【００８０】
次に、上記のように構成した有価媒体管理システムＳの第１システム１を使用して、担当者が入金を行う入金作業の一連の流れについて、図３を参照して説明する。図３は、入金作業時において第１ターミナル３の表示・操作部１１に表示される画像の一例を示す説明図である。【００８１】
担当者が入金を行う際、第１ターミナル３の表示・操作部１１には、図３（ｂ）に示すように、入金処理と出金処理とのうち、いずれか一方の処理を担当者に選択させる画像が表示されている。【００８２】
なお、担当者が入金を行おうとした際に、１号機２がメンテナンスの必要な状態であった場合、表示・操作部１１には、図３（ａ）に示すように、１号機２がメンテナンス中である旨を示す文字と、第１ターミナル３を操作することで２号機への入金操作が行える旨を示す文字が表示される。なお、ここでのメンテナンスが必要な状態とは、上記のように、１号機２に貨幣の回収や補充が必要な状態、１号機２にエラーが発生していて、そのエラーの解除が必要な状態、１号機２に点検や清掃が必要な状態のことである。【００８３】
かかる表示により、担当者は、システム間を移動することなく入金操作を行うことができると共に、現在入金可能な処理機（ここでは、２号機１０２）を容易に知ることができるため、入金作業時における負荷が低減される。【００８４】
次に、担当者が図３（ｂ）に示す画像上の「入金」の文字が表示されている部分に触れると、表示・操作部１１には、図３（ｃ）に示すように、これから入金する貨幣の金種及びその枚数を入力する入金金額入力要求表示画像が表示される。【００８５】
ここで、たとえば、担当者が一万円札を１００枚、五千円札を２０枚、千円札を４００枚入金する場合、その担当者は、それらを画像下部に表示されている０〜９の数字が表示されている部分に適宜触れ、その都度、確認の文字が表示されている部分に触れることによって、入金する貨幣の金種及びその枚数を入力し、入力した金種及びその枚数の貨幣を入金口５へ投入する。【００８６】
こうして、担当者が入金する貨幣の金種及びその枚数を入力すると、表示・操作部１１には、図３（ｄ）に示すように、担当者が入金した貨幣の金種及びその枚数と、それらの合計金額（ここでは、１５０万円）とが表示される。【００８７】
このとき、１号機２が１５０万円全額を収納可能な状態である場合、投入された貨幣は、１号機２に受付けられ、その後、識別判定処理が行われた後、金種毎に分別されて金種別収納部２２〜２４へ収納され入金処理が完了することとなる。【００８８】
ただし、担当者が入金する貨幣の金種及びその枚数を入力した際に、１号機２が１５０万円全額を収納不可能な状態であった場合、たとえば、全ての金種について、あと２００枚までしか収納できない状態であった場合、本実施形態の第１ターミナルでは、担当者が入金する貨幣の金種及びその枚数に対応した貨幣全額を収納可能な他の処理機を検索するように構成している。【００８９】
この検索の結果、該当する他の処理機（たとえば、２号機１０２）が検出された場合、表示・操作部１１には、図３（ｅ）に示すように、「１号機の収納容量が足りません、（確認）を操作すると、２号機へ入金することができます」と書かれた該当処理機案内表示画像が表示される。【００９０】
そして、担当者が、この該当処理機案内表示画像中の「確認」の文字部分に触れ、この該当処理機案内表示画像の案内に従って２号機１０２の入金口１０５へ貨幣の投入を行なうと、その後、識別判定処理が行われた後、金種毎に分別されて金種別収納部２２〜２４へ収納され入金処理が完了することとなる。【００９１】
このように、本実施形態の第１ターミナル３では、入金操作を行った第１ターミナル３と対の１号機２が、その入金操作に対応した貨幣を全額収納することが不可能であった場合、その全額を収納可能な他の処理機を検索して、該当する他の処理機（ここでは、２号機１０２）があれば、その処理機を表示・操作部１１により表示して担当者に報知するようにしている。【００９２】
これにより、担当者は、第２ターミナル１０３を操作することなく、第１ターミナル３をそのまま操作するだけで、２号機１０２への入金を行うことができるので、入金作業時における負荷が低減される。【００９３】
さらに、本実施形態の第１ターミナル３では、担当者が入金する貨幣の金種及びその枚数に対応した貨幣全額を収納可能な他の処理機を検索した結果、該当する処理機がなかった場合、その貨幣を複数の処理機で分担して収納することができるか否かを判断するように公正している。【００９４】
すなわち、この第１ターミナル３は、担当者が入金する貨幣の金種及びその枚数に対応した貨幣全額を収納することはできないが、そのうちの一部なら収納可能な処理機を検索する。【００９５】
この検索の結果、該当する複数の処理機が検出され、これら該当した各処理機の金種毎の貨幣収納容量の合計が、入金する全貨幣の金種毎の枚数よりも大きかった場合、表示・操作部１１には、図３（ｆ）に示すように、入金する貨幣を分割して投入する処理機（ここでは、１号機２と２号機１０２）を担当者に報知する該当処理機案内表示画像が表示される。【００９６】
そして、担当者が、この該当処理機案内表示画像の案内に従って、１号機２と２号機１０２とへ貨幣の投入を行なうと、その後、識別判定処理が行われた後、金種毎に分別されて金種別収納部２２〜２４へ収納され入金処理が完了することとなる。【００９７】
このように、本実施形態の第１ターミナル３では、担当者が他の処理機でも、その処理機１台では収納することができない枚数の貨幣の入金を行う場合、その貨幣を複数の処理機（ここでは、１号機２と２号機１０２）に分割して収納することができれば、その処理機と該処理機に投入する金種毎の貨幣の枚数を担当者に報知するようにしている。【００９８】
これにより、担当者は、第２ターミナル１０３を操作することなく、第１ターミナル３をそのまま操作するだけで、１号機２と２号機１０２とへ分割して入金を行うことができるので、多額の貨幣を入金する場合の入金作業時における担当者の負荷が低減される。【００９９】
また、本実施形態の第１ターミナル３は、複数の処理機に分けても、担当者が入金する貨幣の金種及びその枚数に対応した貨幣全額を収納できないと判断した場合、図３（ｇ）に示す「ただいま入金できません（回収作業待ち）」と書かれた案内画像を表示・操作部１１に表示する。【０１００】
次に、上記した一連の作業を行う際に、第１システム１内において実行される処理について、図４及び図５を参照して説明する。【０１０１】
まず、第１ターミナル３のメイン制御部１２が実行する処理について、図４に示すフローチャートを参照して説明する。本実施形態では、第１システム１及び第２システム１００は、いずれも同一構成としているため、ここでは、第２システム１００の制御部が実行する処理については省略する。【０１０２】
図４は、メイン制御部１２が実行する処理を示すフローチャートであり、メイン制御部１２は、有価媒体管理システムＳに電源が投入されている間、この図４に示すフローチャートに従って一連の処理を繰り返し実行する。【０１０３】
有価媒体管理システムＳに電源が投入されると、第１ターミナル３のメイン制御部１２（以下、単に「メイン制御部１２」という。）は、まず、各収納枚数カウンタ２２ａ〜２４ａのカウント値又は、ＣＰＵの動作状態等を参照して、１号機２がメンテナンスを必要とする状態であるか否か、又は、貨幣の回収が必要であるか否か、又は、貨幣の補充が必要であるか否かの判断を行なう（ステップＳ０１）。ここでのメンテナンスが必要な状態とは、１号機２にエラーが発生していて、そのエラーの解除が必要な状態、１号機２に点検や清掃が必要な状態のことである。なお、ここに記載したメンテナンスが必要な状態は、一例にすぎず、本発明における処理機のメンテナンスが必要な状態は、上記した状態の他、１号機２内部に設けられた消耗部品の交換が必要な状態等、１号機２に想定される任意のメンテナンスが必要な状態のことを含むものである。【０１０４】
このステップＳ０１においてメイン制御部１２は、１号機２に関して、メンテナンス、貨幣回収、貨幣補充のいずれか一つが必要であると判断した場合（ステップＳ０１：Ｙｅｓ）、処理をステップＳ１０に移して他の処理機（２号機１０２）を案内する案内画像（図３（ａ）参照。）を表示し、その後、処理をステップＳ０３へ移す。【０１０５】
一方、ステップＳ０１においてメイン制御部１２は、１号機に関して、メンテナンス、貨幣回収、貨幣補充のいずれも必要ないと判断した場合（ステップＳ０１：Ｎｏ）、処理をステップＳ０２へ移す。【０１０６】
次に、ステップＳ０２においてメイン制御部１２は、待機処理を実行する。この待機処理においてメイン制御部１２は、表示・操作部１１に待受け画像として、担当者に入金処理又は出金処理のいずれか一方を選択させる画像（図３（ｂ）参照。）を表示させる処理を行い、その後、処理をステップＳ０３へ移す。【０１０７】
次に、ステップＳ０３においてメイン制御部１２は、入金処理を行うための操作（以下、「入金操作」という。）、又は、出金処理を行うための操作（以下、「出金操作」という。）がなされたか否かの判断を行う。なお、以下の説明において、入金操作と出金操作とを区別しない場合は、これらの操作を入出金操作という。【０１０８】
ここで、メイン制御部１２は、担当者が表示・操作部１１に表示している待受け画像の「入金」又は「出金」という文字が表示されている部分に触れたことを検知した場合に、入出金操作がなされたと判断する。【０１０９】
そして、このステップＳ０３においてメイン制御部１２は、入出金操作がなされていないと判断した場合（ステップＳ０３：Ｎｏ）処理を終了し、入出金操作がなされたと判断した場合（ステップＳ０３：Ｙｅｓ）、処理をステップＳ０４へ移す。【０１１０】
ステップＳ０４においてメイン制御部１２は、担当者に対して、入出金する貨幣の金種及びその枚数の入力を要求する入出金金額入力要求表示画像を表示・操作部１１に表示する処理を行う。【０１１１】
ここで、メイン制御部１２は、ステップＳ０３で検知した担当者の操作が入金操作であった場合、たとえば、図３（ｃ）に示すように、「入金する金種と枚数を入力してください」とう文字と共に、「確認」という文字を表示・操作部１１に表示する。【０１１２】
次に、ステップＳ０５においてメイン制御部１２は、担当者が入出金する金種及びその枚数の入力が確認されたか否かの判断を行なう。ここで、メイン制御部１２は、担当者が上記入出金金額入力要求表示画像中の０〜９の数字部分に触れて、入出金する金種及びその枚数を入力し、その後、確認の文字が表示されている部分に触れたことを検知した場合に入力が確認されたと判断する。【０１１３】
そして、メイン制御部１２は、このステップ０３において、入出金する金種及びその枚数の入力が確認されたと判断した場合（ステップＳ０５：Ｙｅｓ）、処理をステップＳ０６へ移し、入出金する金種及びその枚数の入力が確認されていないと判断した場合（ステップ０５：Ｎｏ）、入力が確認されるまでの間、このステップＳ０５の判断を繰り返し行なう。【０１１４】
次に、ステップＳ０６においてメイン制御部１２は、ステップＳ０５において確認された金額が入金金額であった場合、収納可能枚数カウンタ２２ａ〜２４ａのカウント値を取得し、該カウント値に基づいて、その入金金額を１号機２に全額収納可能であるか否かを判断し、全額収納可能であると判断した場合（ステップＳ０６：Ｙｅｓ）、対応機制御機能を設定して、処理をステップＳ０７へ移し、全額収納は不可能であると判断した場合（ステップＳ０６：Ｎｏ）、処理をステップＳ１１へ移す。【０１１５】
一方、このステップＳ０６においてメイン制御部１２は、ステップＳ０５において確認された金額が出金金額であった場合、収納可能枚数カウンタ２２ａ〜２４ａのカウント値を取得し、該カウント値に基づいて、その出金金額を１号機２から全額払出可能であるか否かを判断し、全額払出可能であると判断した場合（ステップＳ０６：Ｙｅｓ）、対応機制御機能を設定して、処理をステップＳ０７へ移し、全額払出は不可能であると判断した場合（ステップＳ０６：Ｎｏ）、処理をステップＳ１１へ移す。【０１１６】
そして、ステップＳ０７においてメイン制御部１２は、１号機２へ入出金開始要求を含む処理要求を送信する。【０１１７】
このとき、メイン制御部１２は、ステップＳ０５において確認された金額が入金金額であった場合、１号機２へ入金開始を要求する処理要求を送信し、ステップＳ０５において確認された金額が出金金額であった場合、１号機２へ出金開始を要求する処理要求を送信し、その後、処理をステップＳ０８へ移す。【０１１８】
また、ステップＳ１１においてメイン制御部１２は、１号機２以外の処理機（ここでは、２号機１０２）で、ステップＳ０５において確認された入出金金額を全額収納・払出可能な処理機があるか否かの判断を行なう。【０１１９】
このとき、メイン制御部１２は、ステップＳ０５において確認された金額が入金金額であった場合、収納可能枚数カウンタ２２ａ〜２４ａのカウント値を取得し、該カウント値に基づいて、２号機１０２が入金金額を全額収納可能であるか否かの判断を行い、全額収納可能であると判断した場合（ステップＳ１１：Ｙｅｓ）、非対応機制御機能を設定して、処理をステップＳ１２へ移し、全額は収納不可能であると判断した場合（ステップＳ１１：Ｎｏ）、処理をステップＳ１４へ移す。【０１２０】
一方、メイン制御部１２は、ステップＳ０５において確認された金額が出金金額であった場合、収納可能枚数カウンタ２２ａ〜２４ａのカウント値を取得し、該カウント値に基づいて、２号機１０２が出金金額を全額払出可能であるか否かの判断を行い、全額払出可能であると判断した場合（ステップＳ１１：Ｙｅｓ）、非対応機制御機能を設定して、処理をステップＳ１２へ移し、全額は払出不可能であると判断した場合（ステップＳ１１：Ｎｏ）、処理をステップＳ１４へ移す。【０１２１】
そして、ステップＳ１２においてメイン制御部１２は、担当者に対して、該当処理機（ここでは、２号機１０２）を案内する画像（図３（ｅ）参照。）を表示・操作部１１に表示する処理を行い、その後、処理をステップＳ１３へ移す。【０１２２】
次に、ステップＳ１３においてメイン制御部１２は、該当処理機（ここでは、２号機１０２）と対のターミナル（ここでは、第２ターミナル１０３）へ、入出金開始要求を含む処理依頼を送信し、その後、処理をステップＳ８へ移す。【０１２３】
このとき、メイン制御部１２は、ステップＳ０５において確認された金額が入金金額であった場合、第２ターミナルへ入金開始要求を含む処理依頼を送信する一方、ステップＳ０５において確認された金額が出金金額であった場合、第２ターミナルへ出金開始要求を含む処理依頼を送信するし、その後、処理をステップＳ８へ移す。【０１２４】
また、ステップＳ１４においてメイン制御部１２は、ステップＳ０５において確認された入出金金額を複数の処理機（ここでは、１号機２、２号機１０２）に分けて収納・払出が可能か否かの判断を行なう。【０１２５】
ここで、メイン制御部１２は、ステップＳ０５において確認された金額が入金金額であった場合、１号機２と２号機１０２の収納可能枚数カウンタ２２ａ〜２４ａのカウント値を取得し、該カウント値に基づいて、ステップＳ０５において確認された入金金額を１号機２と２号機１０２とに分けて収納可能であると判断した場合（ステップＳ１４：Ｙｅｓ）、対応機制御機能と非対応機制御機能との両方を設定して、処理をステップＳ１５へ移し、収納不可能であると判断した場合（ステップＳ１４：Ｎｏ）、処理をステップＳ１７へ移す。【０１２６】
一方、メイン制御部１２は、ステップＳ０５において確認された金額が出金金額であった場合、１号機２と２号機１０２の収納可能枚数カウンタ２２ａ〜２４ａのカウント値を取得し、該カウント値に基づいて、ステップＳ０５において確認された出金金額を１号機２と２号機１０２とに分けて払出可能であると判断した場合（ステップＳ１４：Ｙｅｓ）、対応機制御機能と非対応機制御機能との両方を設定して、処理をステップＳ１５へ移し、払出不可能であると判断した場合（ステップＳ１４：Ｎｏ）、処理をステップＳ１７へ移す。【０１２７】
また、ステップＳ１５においてメイン制御部１２は、担当者に対して、該当処理機（ここでは、１号機２、２号機１０２）を案内する案内表示画像を表示・操作部１１に表示する処理を行い、その後、処理をステップＳ１６へ移す。【０１２８】
次に、ステップＳ１６においてメイン制御部１２は、複数の処理機（ここでは、１号機２、２号機１０２）と対の各ターミナル（ここでは、第２ターミナル１０３）へ入出金開始要求を含む処理依頼を送信する。【０１２９】
ここでは、第１ターミナル３と対の１号機２と、第２ターミナル１０３と対の２号機１０２とに分けて貨幣の入出金処理を行うため、メイン制御部１２は、第２ターミナル１０３にのみ入出金開始要求を含む処理依頼を送信し、自装置（第１ターミナル３）へは処理依頼を送信せず、その代わりに、１号機２へ入出金開始要求を含む処理要求を送信する。【０１３０】
また、このときメイン制御部１２は、ステップＳ０５において確認された金額が入金金額であった場合、第２ターミナル１０３に入金開始要求を含む処理依頼を送信し、１号機２へ入金開始要求を含む処理依頼を送信し、その後、処理をステップＳ０８へ移す。【０１３１】
一方、このときメイン制御部１２は、ステップＳ０５において確認された金額が出金金額であった場合、第２ターミナル１０３に出金開始要求を含む処理依頼を送信し、１号機２へ出金開始要求を含む処理依頼を送信し、その後、処理をステップＳ０８へ移す。【０１３２】
また、ステップＳ１７においてメイン制御部１２は、いずれの処理機に分けてもステップＳ０５において確認された入出金金額の収納・払出が行なえないため、表示・操作部１１に貨幣の回収又は補充が必要であることを示す回収・補充表示画像（たとえば、図３（ｇ）参照。）を表示し、その後、処理を終了する。【０１３３】
また、ステップＳ０８においてメイン制御部１２は、いずれかの処理機（ここでは、１号機２、２号機１０２）から入出金報告（入金報告又は出金報告）を受信したか否かの判断を行なう。【０１３４】
ここで、メイン制御部１２は、入出金報告を受信したと判断した場合（ステップＳ０８：Ｙｅｓ）、処理をステップＳ０９へ移し、入出金報告を受信していないと判断した場合（ステップＳ０８：Ｎｏ）、入出金報告を受信するまでの間このステップＳ０８の判断を繰り返し行なう。【０１３５】
そして、最後にステップＳ０９において、メイン制御部１２は、ステップＳ０８で受信した入出金報告の内容を示す画像を表示・操作部１１に表示すると共に、その内容を内部の記憶手段に記憶した後、処理を終了する。【０１３６】
次に、第１システム１の１号機２を制御するサブ制御部２１が実行する処理について、図５を参照して説明する。図５は、１号機２のサブ制御部２１が実行する処理を示すフローチャートである。なお、本実施系形態では、１号機２と２号機１０２とは、いずれも同一構成であるため、ここでは２号機１０２のサブ制御部が実行する処理に関しては、その説明を省略する。【０１３７】
１号機２のサブ制御部２１は、電源が投入されている間、図５のフローチャートに示す一連の処理を繰り返し実行する。【０１３８】
１号機２のサブ制御部２１（以下、単に「サブ制御部２１」という。）は、第１ターミナル３又は第２ターミナル１０３から入金開始要求を含む処理要求又は処理依頼を受信したか否かの判断を行い（ステップＳ２１）、入金開始要求を含む処理要求又は処理依頼を受信したと判断した場合（ステップＳ２１：Ｙｅｓ）、処理をステップＳ２２へ移し、受信していないと判断した場合（ステップＳ２１：Ｎｏ）、処理をステップＳ２６へ移す。【０１３９】
次に、ステップＳ２２においてサブ制御部２１は、入金部２５と搬送部２９とを動作させて、入金口５から投入された貨幣を識別部２８へ搬送する処理を開始し、その後、処理をステップＳ２３へ移す。なお、このとき開始される入金部２５の動作は、入金口５に投入された全貨幣が搬送部２９へ送りだされた時点で終了し、搬送部２９の動作は、入金された全貨幣の収納又は返却が完了した時点で終了する。【０１４０】
次に、ステップＳ２３においてサブ制御部２１は、識別部２８による貨幣の識別結果に基づいて、入金された貨幣の正損や金種等の識別判定と金種毎の枚数及び合計金額を集計する処理を行い、その後、処理をステップＳ２４へ移す。【０１４１】
次に、ステップＳ２４においてサブ制御部２１は、ステップＳ２３で識別・判定及び集計を行った貨幣を各金種毎に金種別収納部２２〜２４へ収納する処理を行い、その後、処理をステップＳ２５へ移す。【０１４２】
また、ステップＳ２６においてサブ制御部２１は、第１ターミナル３又は第２ターミナル１０３から出金開始要求を含む処理要求を受信したか否かの判断を行い、出金開始要求を含む処理要求を受信したと判断した場合（ステップＳ２６：Ｙｅｓ）、処理をステップＳ２７へ移し、受信していないと判断した場合（ステップＳ２６：Ｎｏ）、処理を終了する。【０１４３】
そして、ステップＳ２７においてサブ制御部２１は、出金要求に応じた貨幣を金種別収納部２２〜２４から出金部２６へ繰出す処理を行い、その後、処理をステップＳ２５へ移す。【０１４４】
最後に、ステップＳ２５においてサブ制御部２１は、第１ターミナル３へ入出金報告を送信して、処理を終了する。【０１４５】
このとき送信する入出金報告には、貨幣の収納を行った場合、収納した金種毎の貨幣の枚数及びその合計金額を含み、貨幣の出金を行った場合、出金した金種毎の貨幣の枚数及びその合計金額を含む。【０１４６】
以上説明した実施形態では、担当者が入金操作又は出金操作を行う際に、入金又は出金する金種とその枚数とを入力するように構成したが、入金操作又は出金操作を行う際に、入金金額又は出金金額だけを入力するように構成してもよい。【０１４７】
このように構成する場合、入金操作又は出金操作が行われたターミナルでは、その入金金額の最大構成枚数が入金された場合、又は、出金金額の最大構成枚数を出金する場合を想定したシミュレーションを行い、その結果と、各処理機の収納可能枚数カウンタ２２ａ〜２４ａのカウント値とに基づいて、担当者へ入出金させる処理機を案内する。【０１４８】
また、この場合、メイン制御部１２のＲＯＭ内に上記シミュレーションを実行するための情報処理プログラムを記憶させておく。【０１４９】
また、本発明は、有価媒体管理装置が複数セット設けられ、複数の有価媒体処理機のうち、少なくとも一の有価媒体処理機が、有価媒体の処理に関して他の有価媒体処理機と同一の処理機能を有している有価媒体管理システムについても適用することができる。【０１５０】
このような有価媒体管理システムに本発明を適用しても、一つの制御装置を操作することによって、有価媒体の処理機能が同一の他の有価媒体処理機を動作させることができるので、処理機能が同一の有価媒体管理装置を複数設けた場合であっても、担当者の負荷が増大することを抑制することができる有価媒体管理システムを提供することができる。【０１５１】
ところで、上記した各情報処理プログラムについては、必ずしも最初からＲＯＭに記憶させておく必要はなく、各ターミナルや各入出金機に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」、または、各ターミナルや各入出金機内外に備えられるハードディスクドライブ（ＨＤＤ）などの「固定用の物理媒体」、さらには、公衆回線、インターネット、ＬＡＮ、ＷＡＮなどを介して各ターミナルや各入出金機に接続される「他のコンピュータ（またはサーバ）」などに各情報処理プログラムを記憶させておき、コンピュータがこれらから各情報処理プログラムを読み出して実行するようにしてもよい。【０１５２】
また、本実施形態において説明した各処理のうち、自動的に行なわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。【０１５３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行される情報処理プログラムにて実現され、あるいは、ワイヤードロジックによるハードウェアとして実現され得る。
【図１】
2010018626.tif 000003
【図２】
2010018626.tif 000004
【図３】
2010018626.tif 000005
【図４】
2010018626.tif 000006
【図５】
2010018626.tif 000007
【国際調査報告】
2010018626.tif 000008
2010018626.tif 000009